(57)【要約】【課題】  光ディスク再生装置を搭載するプロジェクタにおいて、電力が無駄に消費されるのを防ぎ、ランプの短寿命化を防止する。【解決手段】  光ディスク記録された映像データを再生する光ディスク再生部２０に、光ディスクＤが装填されているか判断し（Ｓ１０２）、光ディスクＤが装填されている場合、照度が所定の照度となるように、該ランプ１０の電源が制御される（Ｓ１０３）。光ディスク再生部２０に光ディスクＤが装填されていない場合、照度が前記所定の照度より小さい照度となるように、前記光源の電源が制御される（Ｓ１０５）。【選択図】  図４
2006243551.tif 000002
【特許請求の範囲】
【請求項１】
入力された映像信号によって表示パネルを駆動し、この表示デバイスに表示された映像をスクリーンに投射して表示するプロジェクタであって、
映像を表示する表示パネルと、
前記表示パネル表示された映像を投影するための光源と、
前記光源に電力を供給する電源と、
前記光源をファンを用いて冷却する冷却手段と、
前記ファンを駆動するモータドライバと、
光ディスクに記録された映像データを再生する光ディスク再生手段と、
前記光ディスク再生手段に光ディスクが装填されているか判断する判断手段と、
前記光ディスク再生手段に光ディスクが装填されている場合、照度が所定の照度となるように、前記光源の電源を制御する第１制御手段と、
前記光ディスク再生手段に光ディスクが装填されていない場合、照度が前記所定の照度より小さくなるように、前記光源の電源を制御する第２制御手段と、
を具備することを特徴とするプロジェクタ。
【請求項２】
前記第２制御手段は、前記光ディスク再生手段に光ディスクが装填されていない場合、前記光源が消灯するように前記光源の電源を制御することを特徴とする請求項１記載のプロジェクタ。
【請求項３】
前記第１制御手段は、前記光ディスク再生手段に光ディスクが装填されている場合、前記冷却手段のファンが所定の回転数で回転するよう前記モータドライバを制御し、
前記第２制御手段は、前記光ディスク再生手段に光ディスクが装填されていない場合、前記冷却手段のファンが前記所定の回転数より低い回転数で回転するよう前記モータドライバを制御することを特徴とする請求項１記載のプロジェクタ。
【請求項４】
前記光ディスク再生手段は、該光ディスク再生手段に装填された光ディスクの種類を判別する判別手段を含み、
前記第１制御手段は、前記装填された光ディスクが映像データを含む種類の光ディスクの場合、照度が第１の照度となるように、前記光源の電源を制御し、前記装填された光ディスクがオーディオ専用ディスクである場合、照度が前記第１の照度より小さい第２の照度となるように、前記光源の電源を制御することを特徴とする請求項１記載のプロジェクタ。
【請求項５】
前記光ディスク再生手段は、該光ディスク再生手段の温度を測定する測定手段を含み、
前記温度が前記光ディスク再生手段の許容動作温度を超えている場合、前記光源が点灯しないように前記光源の電源を制御する第３制御手段を更に具備することを特徴とする請求項１〜４のいずれか１項に記載のプロジェクタ。
【請求項６】
前記第３制御手段は、前記温度が前記光ディスク再生手段の許容動作温度を超えている場合、前記冷却手段のファンが前記所定の回転数より高い回転数で回転するよう前記モータドライバを制御することを特徴とする請求項５記載のプロジェクタ。
【請求項７】
入力された映像信号によって表示パネルを駆動し、この表示デバイスに表示された映像をスクリーンに投射して表示するプロジェクタであって、
映像を表示する表示パネルと、
前記表示パネル表示された映像を投影するための光源と、
前記光源に電力を供給する電源と、
前記光源をファンを用いて冷却する冷却手段と、
前記ファンを駆動するモータドライバと、
光ディスク記録された映像データを再生する光ディスク再生手段と、
前記光ディスク再生手段に装填された光ディスクの種類を判別する判別手段と、
前記光ディスク再生手段に装填された光ディスクが映像データを含む種類の光ディスクの場合、照度が第１の照度となるように前記光源の電源を制御する第１制御手段と、
前記装填された光ディスクがオーディオ専用ディスクである場合、照度が前記第１より小さい第２の照度となるように前記光源の電源を制御する第２制御手段と、
を具備することを特徴とするプロジェクタ。
【請求項８】
前記第１制御手段は、前記光ディスク再生手段に装填された光ディスクが映像データを含む種類の光ディスクの場合、前記冷却手段のファンが所定の回転数で回転するよう前記モータドライバを制御し、
前記第２制御手段は、前記装填された光ディスクがオーディオ専用ディスクである場合、前記冷却手段のファンが前記所定の回転数より低い回転数で回転するよう前記モータドライバを制御することを特徴とする請求項７記載のプロジェクタ。
【請求項９】
前記光ディスク再生手段は、該光ディスク再生手段の温度を測定する測定手段を含み、
前記温度が前記光ディスク再生手段の許容動作温度を超えている場合、前記光源が点灯しないように前記光源の電源を制御する第３制御手段を更に具備することを特徴とする請求項８記載のプロジェクタ。
【請求項１０】
前記第３制御手段は、前記温度が前記光ディスク再生手段の許容動作温度を超えている場合、前記冷却手段のファンが前記所定の回転数より高い回転数で回転するよう前記モータドライバを制御することを特徴とする請求項９記載のプロジェクタ。
【請求項１１】
入力された映像信号によって表示パネルを駆動し、この表示デバイスに表示された映像をランプによる投影によりスクリーンに表示するプロジェクタのランプ制御方法であって、
光ディスク記録された映像データを再生する光ディスク再生装置に、光ディスクが装填されているか判断し、
前記光ディスク再生装置に光ディスクが装填されている場合、照度が所定の照度となるように、該ランプの電源を制御し、
前記光ディスク再生手段に光ディスクが装填されていない場合、照度が前記所定の照度より小さくなるように、前記ランプの電源を制御することを特徴とするプロジェクタのランプ制御方法。
【発明の詳細な説明】
【技術分野】
【０００１】
本発明は、映像をスクリーン上に投影するプロジェクタのランプ制御に関する。
【背景技術】
【０００２】
近年、映像をより明るく繊細に大画面で写したいというニーズが高まり、プロジェクタや民生用液晶テレビ等の需要が急速に高まってきた。また、高画質のデジタル放送も普及し始め、高画質化及び大画面化のニーズが年々高まっている。
【０００３】
このように高画質化及び大型化のニーズが高まり、大型でより明るい画面を目指して業務用から民生用まで、種々の映像表示デバイスを使用したプロジェクタの開発競争が展開されている。
【０００４】
一般にプロジェクタは、高い輝度のランプを用いて映像を投影するので、ランプの発熱対策が重要となる。下記特許文献１には、映像信号が入力されていないとき、ランプ輝度を低下させ、冷却ファンの回転数を低下させる技術が開示されている。
【特許文献１】特開２００３−５１４７号公報
【発明の開示】
【発明が解決しようとする課題】
【０００５】
最近になって、ＤＶＤ等の光ディスクを再生する光ディスク再生装置を搭載するプロジェクタが開発された。このようなプロジェクタは、例えば映画などのＤＶＤビデオソフトを直接再生して視聴することができる。
【０００６】
しかし、このようなプロジェクタでは、例えば光ディスク再生装置に光ディスクが装填されていない場合でも、ランプは高輝度で発光し続ける。このような場合、電力が無駄に消費され、ランプの寿命が短くなる。
【０００７】
本発明は、光ディスク再生装置を搭載するプロジェクタにおいて、電力が無駄に消費されるのを防ぎ、ランプの短寿命化を防止することを第１の目的としている。
【課題を解決するための手段】
【０００８】
本発明の１実施形態に係るプロジェクタは、入力された映像信号によって表示パネルを駆動し、この表示デバイスに表示された映像をスクリーンに投射して表示するプロジェクタであって、映像を表示する表示パネルと、前記表示パネル表示された映像を投影するための光源と、前記光源に電力を供給する電源と、前記光源をファンを用いて冷却する冷却手段と、前記ファンを駆動するモータドライバと、光ディスク記録された映像データを再生する光ディスク再生手段と、前記光ディスク再生手段に光ディスクが装填されているか判断する判断手段と、前記光ディスク再生手段に光ディスクが装填されている場合、照度が所定の照度となるように、前記光源の電源を制御する第１制御手段と、前記光ディスク再生手段に光ディスクが装填されていない場合、前記照度が前記所定の照度より小さい照度となるように、前記光源の電源を制御する第２制御手段とを具備する。
【発明の効果】
【０００９】
光ディスク再生装置を搭載するプロジェクタにおいて、電力が無駄に消費されるのを防ぎ、ランプの短寿命化を防止できる。
【発明を実施するための最良の形態】
【００１０】
図面を参照しながら本発明の実施形態について詳細に説明する。尚、以下に示す実施形態では、前面投射型プロジェクタの例を説明するが、この発明は背面投射型プロジェクタにおいても適用できるものである。
【００１１】
図１は本発明の一実施形態に係るプロジェクタの構成を示すブロック図である。
【００１２】
ＤＳＵＢ端子３には、ＰＣ(personal computer) 等の機器からアナログ映像信号が入力され、該映像信号はＡ／Ｄ変換器４によりデジタル形式の映像データに変換され、映像処理部１に供給される。ＣＶＢＳ端子５には、デジタル放送チューナ等の機器からデジタル形式の映像データが入力され、該映像データはデコーダ６によってデコードされ、映像処理部１に供給される。
【００１３】
映像処理部１はマイコン２の制御の下に、入力された映像データに対してデジタル画像処理を施し、処理された映像データをパネルドライバ７に供給する。パネルドライバ７は、入力された映像データをアナログ映像信号に変換して、後段の映像表示パネル８に提供すると共に、該表示パネル８による表示を可能とするために、垂直同期信号及び水平同期信号等を生成して表示パネル８に提供する。映像表示パネル８は例えば液晶表示パネルであって、入力された映像信号、垂直及び水平同期信号に基づいて映像を表示する。
【００１４】
バラスト９は可変電圧電源であって、マイコン２の制御の下に、光源としてのランプ１０を駆動する。表示パネル８に表示された映像はランプ１０により、図示しないスクリーン上に投影される。モータドライバ１１はマイコン２の制御の下に、ファン１２を回転駆動する。
【００１５】
本発明に係るプロジェクタは光ディスク再生部２０が搭載されている。光ディスク再生部２０は所謂ＤＶＤプレイヤであって、ＤＶＤ(Digital Versatile Disk)等の光ディスクに記録された情報を再生し、再生した情報を通信インターフェース部１３を介して映像処理部１に送信する。
【００１６】
図２は光ディスク再生部２０の構成例を示すブロック図である。
【００１７】
光ディスク再生部２０は、再生指示に応じてディスクＤに記録されているデータを再生する情報再生部２２、情報再生部２２による再生及び以下に説明する各部の動作を制御するＣＰＵ２１等を含む。
【００１８】
情報再生部２２は、例えばＤＶＤ規格に準拠して製造されたディスクＤに記録されたデータの再生が可能なディスクドライブユニット２２ａ、ディスクドライブユニット２２ａにセットされたディスクＤから再生されたデータの一定量を、一時的に保持可能なバッファリングメモリとして機能する一時記録部２２ｂ、及びデータプロセッサ２２ｃを含む。
【００１９】
ディスクドライブ２２ａはディスクＤを収納するためのトレイ２２ｂ、トレイ２２ｂの開閉を感知するトレイセンサＴＲＳ、イジェクトボタンＥＢ（図１参照）及びディスクドライブ２２ａの内部温度を測定する温度センサＴＳを含む。トレイ２２ｂが収納されている状態でイジェクトボタンＥＢが押されると、トレイ２２ｂはディスクドライブ２２ａから引き出される。また、トレイ２２ｂが引き出されている状態でイジェクトボタンＥＢが押されると、トレイ２２ｂはディスクドライブ２２ａに収納される。
【００２０】
データプロセッサ２２ｄはＣＰＵ２１の制御の下に、ディスクＤの再生信号をディスクドライブ２２ａを介して取り込み、エラー訂正等の処理を施してデコード部２４に供給する。デコード部２４はディスクドライブ２２ａから入力された映像データをデコード（伸長）する。デコード部２４によりデコードされデータは、例えばＵＡＲＴプロトコルに従って通信を行う通信インターフェース部２５を介してマイコン２（図１参照）に送信される。
【００２１】
ＣＰＵ２１には、通信インターフェース部２５及びＤＶＤ再生装置２０の動作状態を表示する表示部２３が接続されている。ＣＰＵ２１は、メモリ２６に記憶されている制御プログラムに従い、ディスクＤに対するデータ再生、通信制御部５を用いた再生データの転送、表示部２３を用いた表示動作等を制御する。
【００２２】
次に、本発明に係るディスクトレイ開閉時のランプ制御について説明する。
【００２３】
図３はディスクトレイ開閉時における光ディスク再生部２０の動作を示すフローチャートである。光ディスク再生部２０のＣＰＵ２１は、イジェクトボタンＥＢがユーザにより押下されると、それを検知し（ステップＳ００１のＹｅｓ）、ディスクイジェクト信号を通信インターフェース部２５を介して映像処理部１のマイコン２に送信する（ステップＳ００２）。
【００２４】
イジェクトボタンＥＢの押下を検出してから所定時間後、ＣＰＵ２１はトレイセンサＴＲＳを用いてトレイ２２ｂが収納されているか判断する（ステップＳ００３）。トレイ２２ｂが収納されている場合、ＣＰＵ２１は再生レーザービームを発光し、その反射光に基づいてディスクＤが装填されているか判断する（ステップＳ００４）。ディスクＤが装填されている場合、ＣＰＵ２１はディスク検出信号をマイコン２に送信し（ステップＳ００５）、ディスクＤが装填されていない場合、ディスク非検出信号をマイコン２に送信する（ステップＳ００６）。
【００２５】
ステップＳ００５のようにディスク検出信号を送信した後、ＣＰＵ２１はディスクＤを回転し、ディスクローディング処理を行い、ディスクＤの管理情報を読出す（ステップＳ００７）。ＣＰＵ２１は該管理情報からディスクの種類を判別し、判別結果をディスク情報としてマイコン２に送信する（ステップＳ００８）。
【００２６】
その後ＣＰＵ２１は、操作部（図示されず）を介してユーザからディスク再生指示を受けると、ディスクＤに記録されたデータを再生する（ステップＳ０１０）。
【００２７】
図４はディスクトレイ開閉時のランプ及び冷却ファン制御の第１実施形態を示すフローチャートである。
【００２８】
ステップＳ１０１のように、ＣＰＵ２１からディスクイジェクト信号（図３のステップＳ００２参照）を受信し、ステップＳ１０２のように、ディスク検出信号（図３のステップＳ００５参照）を受信すると、マイコン２はバラスト９を制御して、ランプ１０の照度を初期値に設定する（ステップＳ１０３）。これによりランプ１０は定格電力で発光する。更にマイコン２は、モータドライバ１１を制御して、冷却ファン１２の回転数を初期値に設定する（ステップＳ１０４）。これにより冷却ファン１２は定格回転数で回転する。
【００２９】
マイコン２はディスク非検出信号を受信すると（ステップＳ１０２のＮｏ）、バラスト９を制御して、ランプ１０の照度を初期値の照度より下げる（ステップＳ１０５）。つまり、照度が初期値より低い値となるようにランプを駆動する。更にマイコン２は、モータドライバ１１を制御して、冷却ファン１２の回転数を下げる（ステップＳ１０６）。つまり、回転数が初期値より低い値となるように、冷却ファンを駆動する。
【００３０】
以上のように本実施形態によれば、ディスクトレイ２２ｂがディスクドライブ２２ａに挿入されたときのディスク検出信号に応じて、ランプ１０の明るさやファン１２の回転数を制御することにより、省エネ及び静音効果が得られ、ランプの長寿命化が得られる。
【００３１】
図５はディスクトレイ開閉時のランプ及び冷却ファン制御の第２実施形態を示すフローチャートである。この実施形態では、ディスクの種類に応じてランプ及び冷却ファンが制御される。
【００３２】
ステップＳ２０１のように、ＣＰＵ２１からディスクイジェクト信号（図３のステップＳ００２参照）を受信し、ステップＳ２０２のように、ディスク検出信号（図３のステップＳ００５参照）を受信し、更にステップＳ２０３のように、ディスクの種類を示すディスク情報（図３のステップＳ００８参照）を受信すると、マイコン２はディスクの種類（ＶＣＤ、ＭｕｓｉｃＣＤ、ＤＶＤ Ａｕｄｉｏ、ＤＶＤ Ｖｉｄｅｏ等）に応じて、ランプ１０の明るさを制御すると同時にファン１２の回転数を制御する。つまり、装填されたディスクＤがオーディオ専用ディスクの場合（ステップＳ２０４のＹｅｓ）、マイコン２はバラスト９を制御して、ランプ１０の照度を下げる（ステップＳ２０５）。つまり、照度が初期値より低い値となるようにランプを駆動する。更にマイコン２は、モータドライバ１１を制御して、冷却ファン１２の回転数を下げる（ステップＳ２０６）。つまり、回転数が初期値より低い値となるように、冷却ファンを駆動する。装填されたディスクＤが映像データを含む種類のディスクの場合（ステップＳ２０４のＮｏ）、マイコン２はバラスト９を制御して、ランプ１０の照度を初期値に設定する（ステップＳ２０７）。更にマイコン２は、モータドライバ１１を制御して、冷却ファン１２の回転数を初期値に設定する（ステップＳ２０８）。
【００３３】
以上のように第２実施形態によれば、装置に装填された光ディスクの種類に応じて、ランプの明るさやファンの回転数を制御することにより、省エネ及び静音効果が得られ、ランプの長寿命化を実現できる。
【００３４】
次に本発明の第３実施形態を説明する。
【００３５】
図６はディスクトレイ開閉時のランプ及び冷却ファン制御の第３実施形態を示すフローチャートである。この実施形態では、光ディスク再生部の温度状況に応じてランプの照度が制御される。
【００３６】
光ディスク再生部２０のＣＰＵ２１は、ディスクドライブ２２ａに設けられている温度センサＴＳを用いて、ディスクドライブ２２ａの温度を測定し、温度測定値を映像処理部１のマイコン２に送信する（ステップＳ３０１）。
【００３７】
マイコン２は光ディスク再生部２０から温度測定値を受信すると、該温度測定値が許容動作温度を超えているか判断する（ステップＳ３０２）。温度測定値が許容動作温度を超えている場合、マイコン２はランプ１０を消灯する（ステップＳ３０５）。更にマイコン２は冷却ファンの回転数を最高許容回転数に設定する（ステップＳ３０６）。例えば、スタンバイ状態で温度測定値が許容温度を超えている場合、ランプ１０を点灯させない制御を行う。
【００３８】
ここで、ディスクドライブ２２ａの温度を測定する理由は、ディスクドライブ２２ａは光ピックアップヘッド等の精密光学部品が組み込まれているため、一般に定格動作温度が、ディスクドライブを含まない従来のプロジェクターに比べ低いからである。つまり、ステップ３０２の許容動作温度は、ディスクドライブ２２ａの許容動作温度であって、例えば７０℃である。勿論、ディスクドライブ２２ａの他に、表示パネル８等の他の個所の動作温度を確認しても良い。
【００３９】
温度測定値が許容動作温度を超えていない場合（ステップＳ３０２のＮｏ）、ランプ１０を点灯すなわちランプ１０の照度が初期値となるように、バラスト９を制御する。更にマイコン２はモータドライバ１１を制御して、冷却ファン１２の回転数を初期値に設定する（ステップＳ３０４）。
【００４０】
このように本実施形態によれば、ディスクドライブ等の温度状況により、ランプを制御することで、電子デバイスの動作の安定化ならびにランプの長寿命化が得られる。
【００４１】
以上の説明はこの発明の実施の形態であって、この発明の装置及び方法を限定するものではなく、様々な変形例を実施することができる。そのような変形例も本発明に含まれるものである。又、各実施形態における構成要素、機能、特徴あるいは方法ステップを適宜組み合わせて構成される装置又は方法も本発明に含まれるものである。
【図面の簡単な説明】
【００４２】
【図１】本発明の一実施形態に係るプロジェクタの構成を示すブロック図である。
【図２】光ディスク再生部２０の構成例を示すブロック図である。
【図３】光ディスク再生部２０の構成例を示すブロック図である。
【図４】ディスクトレイ開閉時のランプ及び冷却ファン制御の第１実施形態を示すフローチャートである。
【図５】ディスクトレイ開閉時のランプ及び冷却ファン制御の第２実施形態を示すフローチャートである。
【図６】ディスクトレイ開閉時のランプ及び冷却ファン制御の第３実施形態を示すフローチャートである。
【符号の説明】
【００４３】
１…映像処理部、２…マイコン、１０…ランプ、１２…ファン、２０…光ディスク再生部、２２…情報再生部
【図１】
2006243551.tif 000003
【図２】
2006243551.tif 000004
【図３】
2006243551.tif 000005
【図４】
2006243551.tif 000006
【図５】
2006243551.tif 000007
【図６】
2006243551.tif 000008